(57)【要約】【課題】光反射体の取り付け位置を変更可能とし、光反射体の被せ蓋に占める面積を狭いものとし、不要なときは光反射体を被せ蓋から取り外すことができ、光反射体が傷んだときは新しいものに付け替えることができるようにした安全視認具を提供する。【解決手段】背負い鞄Ｂの被せ蓋Ｃの表側に配される反射ベルト１と、この被せ蓋Ｃの裏側に配される止め体２とからなるものとし、前記背負い鞄Ｂの被せ蓋Ｃに着脱自在として取り付けられるものとしている。【選択図】図１
2008259610.tif 000002
【特許請求の範囲】
【請求項１】
背負い鞄（Ｂ）の被せ蓋（Ｃ）の表側に配される反射ベルト（１）と、この被せ蓋（Ｃ）の裏側に配される止め体（２）とからなるものとし、前記背負い鞄（Ｂ）の被せ蓋（Ｃ）に着脱自在として取り付けられるものとしたことを特徴とする安全視認具。
【請求項２】
前記反射ベルト（１）を、被せ蓋（Ｃ）の幅方向を横断するようにした横長の略長方形状としたことを特徴とする請求項１記載の安全視認具。
【請求項３】
前記止め体（２）を、反射ベルト（１）の両端部（１ａ）間に掛け渡されており、伸縮性を有するベルト体にしたものとし、背負い鞄（Ｂ）の被せ蓋（Ｃ）に取り付けられたときに、その伸縮力が作用するようにして、その被せ蓋（Ｃ）からずり落ちないようにしたことを特徴とする請求項１または２記載の安全視認具。
【請求項４】
前記止め体（２）を、その縦方向の寸法を反射ベルト（１）の縦方向の寸法の１／５〜１／１０以下の横長状にして、反射ベルト（１）の両端部（１ａ）の上下位置おいて、これら両端部（１ａ）間に掛け渡されたものとしたことを特徴とする請求項３記載の安全視認具。
【発明の詳細な説明】
【技術分野】
【０００１】
この発明は、ランドセル等の背負い鞄の被せ蓋などに取り付けて使用する安全視認具に関するものである。
【背景技術】
【０００２】
従来、ランドセル等の背負い鞄は、夜間等の暗闇で自動車のヘッドライトの光があたると、その光を反射して鞄着用者の存在を知らせ、交通事故などからその鞄着用者の身を守るために、反射テープ、反射板、反射シール等の光反射体が取り付けられたものが存在する。
【０００３】
このような背負い鞄は、例えば図６に示したように、その被せ蓋１１の下部に光を反射する反射テープ１２を縫着して取り付けたもの（特許文献１）としたり、図７に示したように、その被せ蓋２１の下端の幅方向に縫着した補強板２２の上に反射板２３を縫着して取り付け、さらにこの反射板２３の上方に反射シール２４を貼着して取り付けたもの（特許文献２）としていた。
【特許文献１】特開２００３−２３５６３１号公報（第７頁、図１）
【特許文献２】特開２００２−２３８６４０号公報（第３頁、図１）
【発明の開示】
【発明が解決しようとする課題】
【０００４】
ところで、従来の背負い鞄では、反射テープ、反射板、反射シール等の光反射体が取り付けられた位置が、自動車のヘッドライトの光が一番良くあたる位置であるのが、交通事故防止の観点から一番望ましい。そのため、図６、７に示した従来の背負い鞄では、被せ蓋の下部に前記したような光反射体を取り付けたものとしている。しかし、その背負い鞄がランドセルである場合には、背の低い学童や背の高い学童が着用するので、自動車のヘッドライトの光が一番良くあたる位置が被せ蓋の下部になるとは限らない。そこで、背負い鞄がランドセルである場合には、鞄着用者の身長に応じて変更することが好ましいが、従来の背負い鞄では、前記したように光反射体の取り付け位置が定まっており、その取り付け位置を変更することができないという問題点を有していた。
【０００５】
そのため、従来の背負い鞄では、図示してないが、被せ蓋の周端部全域に反射テープ、反射シール等の光反射体が取り付けられたものも存在するが、被せ蓋に占めるこれらの面積が広いものとなり、体裁が悪くなるという問題点を有していた。
【０００６】
また、従来の背負い鞄では、これらの光反射体を被せ蓋から取り外すことができず、夜間、昼間に関係なく取り付けられたままになっているので、常に体裁が悪いものとなっているという問題点を有していた。
【０００７】
さらに、ランドセルのように長期間使用される背負い鞄である場合には、そのランドセルの耐用期間前に、被せ蓋に取り付けられた光反射体が、被せ蓋より先に傷んでしまったり、被せ蓋から剥がれてしまったりしても、新しいものに付け替えることができないという問題点を有していた。
【０００８】
そこで、この発明は、上記従来の問題点を解決するものであり、光反射体の取り付け位置を変更可能とし、光反射体の被せ蓋に占める面積を狭いものとし、不要なときは光反射体を被せ蓋から取り外すことができ、光反射体が傷んだときは新しいものに付け替えることができるようにした安全視認具を提供することを目的としてなされたものである。
【課題を解決するための手段】
【０００９】
この発明の安全視認具は、背負い鞄Ｂの被せ蓋Ｃの表側に配される反射ベルト１と、この被せ蓋Ｃの裏側に配される止め体２とからなるものとし、前記背負い鞄Ｂの被せ蓋Ｃに着脱自在として取り付けられるものとしている。
【００１０】
さらに、この発明の安全視認具は、前記反射ベルト１を、被せ蓋Ｃの幅方向を横断するようにした横長の略長方形状としたものとしている。
【００１１】
また、この発明の安全視認具は、前記止め体２を、反射ベルト１の両端部１ａ間に掛け渡されており、伸縮性を有するベルト体にしたものとし、背負い鞄Ｂの被せ蓋Ｃに取り付けられたときに、その伸縮力が作用するようにして、その被せ蓋Ｃからずり落ちないようにしている。
【００１２】
さらに、この発明の安全視認具は、前記止め体２を、その縦方向の寸法を反射ベルト１の縦方向の寸法の１／５〜１／１０以下の横長状にして、反射ベルト１の両端部１ａの上下位置おいて、これら両端部１ａ間に掛け渡されたものとしている。
【発明の効果】
【００１３】
この発明の安全視認具は、以上に述べたように構成されているので、光反射体の取り付け位置が変更可能となって、鞄着用者の身長に応じた位置に取り付けることができるものとなる。また、光反射体の被せ蓋に占める面積が狭いものとなると共に、不要なときは光反射体を被せ蓋から取り外すことができるので、背負い鞄が体裁の悪いものとはならない。さらに、光反射体が傷んだときは新しいものに付け替えることができるので、背負い鞄の耐用期間にかかわらず、いつまでも光反射体の機能を発揮することができるものとなる。
【発明を実施するための最良の形態】
【００１４】
以下、この発明の安全視認具の実施の形態を、図面に基づいて詳細に説明する。
【００１５】
この発明の安全視認具は、ランドセル等の背負い鞄Ｂの被せ蓋Ｃの表側に配される反射ベルト１と、この被せ蓋Ｃの裏側に配される止め体２とからなるものとし、前記背負い鞄Ｂの被せ蓋Ｃに着脱自在として取り付けられるものとしている。
【００１６】
前記反射ベルト１は、被せ蓋Ｃの幅方向を横断するようにした横長の略長方形状としており、必要に応じて、その両端部１ａを表側から裏側に折り込んだものとしている。この反射ベルト１は、光反射する布地で全体を構成したり、光反射しない通常の布地の上下端の幅方向に反射テープ、反射シール等の光反射体３を縫着したりして取り付けたものとしている。
【００１７】
さらに、前記反射ベルト１は、背負い鞄Ｂがランドセルである場合には、その横方向の寸法を被せ蓋Ｃの幅方向とほぼ同じ寸法（約２３〜２７ｃｍ）にしている。この横方向の寸法は、両端部１ａを表側から裏側に折り込んだものとする場合には、被せ蓋Ｃの幅方向より少し長い寸法（約２７〜３３ｃｍ）としている。さらに、その縦方向の寸法は、約７〜１３ｃｍ程度にしている。縦方向の寸法は、約７〜１３ｃｍ程度あれば、自動車の運転者等が視認するには充分であり、約７〜１３ｃｍ程度以上になると、着用時の背負い鞄Ｂの体裁が悪くなるので、この程度の寸法とするのが好ましい。さらに、反射ベルト１には、「交通安全」等の文字を表記したりして、自動車の運転者等の注意をより喚起するものとすることもできる。
【００１８】
前記止め体２は、前記反射ベルト１の両端部１ａ間に掛け渡されており、ゴム等の伸縮性を有するベルト体にしたものとし、背負い鞄Ｂの被せ蓋Ｃに取り付けられたときに、その伸縮力が作用するようにして、その被せ蓋Ｃからずり落ちないようにしている。なお、前記止め体２は、図示していないが、面接着ファスナーの一方の接着体を取り付けたものとし、この接着体を背負い鞄Ｂの被せ蓋Ｃに取り付けた面接着ファスナーの他方の接着体に、着脱自在として接着するようなものとしてもよい。
【００１９】
さらに、前記止め体２は、図示したように、その縦方向の寸法を反射ベルト１の縦方向の寸法の１／５〜１／１０以下（約１〜２ｃｍ程度）の横長状にして、反射ベルト１の両端部１ａの上下位置おいて、これら両端部１ａ間に掛け渡されたものとしている。このようにすると、ランドセル等の被せ蓋Ｃの裏面における止め体２の占有面積が小さいものとなるので、その被せ蓋Ｃの裏面に時間割表等の表示がされていても、このような表示が隠れてしまうことが少ないものとなる。
【００２０】
以上のように構成したこの発明の安全視認具を使用するには、前記反射ベルト１が表側に配されるようにし、止め体２が裏側に配されるようにして、伸縮性を有するベルト体とした止め体２を手で少し引き伸ばしながら、ランドセル等の背負い鞄Ｂの被せ蓋Ｃに差し込むことにより、この被せ蓋１に取り付ける。
【００２１】
すると、この発明の安全視認具は、止め体２の収縮力が作用し、図１に示したように、前記反射ベルト２を被せ蓋Ｃの任意の位置からずり落ちないようにして止めておける。この場合、この発明の安全視認具は、被せ蓋Ｃの上部位置、中間位置、下部位置のいずれかの位置まで差し込むことにより、その取り付け位置が変更可能となり、背負い鞄Ｂの着用者の身長等に応じた任意の位置に簡単に取り付けることができる。
【００２２】
また、この発明の安全視認具は、夜間等の暗闇で使用しないときも取り付けたままにしておいても差し支えないが、背負い鞄Ｂの体裁が気になる場合には、被せ蓋Ｃから取り外しておける。この場合、被せ蓋Ｃに取り付けられた状態の反射ベルト１の上辺部を手で掴んでずりおろせば、被せ蓋Ｃから簡単に取り外すことができる。なお、この発明の安全視認具は、止め体２を伸縮性を有するベルト体とした場合は、被せ蓋Ｃに面接着ファスナーなどを取り付けたものにしておかなくてよいので、被せ蓋Ｃから取り外した後には、その面接着ファスナーなどが残ることもないので、体裁がまったく悪くならないものとなる。
【００２３】
この発明の安全視認具は、以上に述べたように構成されているので、光反射体の取り付け位置が変更可能となって、鞄着用者の身長に応じた位置に取り付けることができるものとなる。また、光反射体の被せ蓋に占める面積が狭いものとなると共に、不要なときは光反射体を被せ蓋から取り外すことができるので、背負い鞄が体裁の悪いものとはならない。さらに、光反射体が傷んだときは新しいものに付け替えることができるので、背負い鞄の耐用期間にかかわらず、いつまでも光反射体の機能を発揮することができるものとなる。
【図面の簡単な説明】
【００２４】
【図１】この発明の安全視認具を背負い鞄の被せ蓋に取り付けた状態を示す斜視図である。
【図２】この発明の安全視認具の表面図である。
【図３】この発明の安全視認具の裏面図である。
【図４】この発明の安全視認具の上面図である。
【図５】この発明の安全視認具を背負い鞄の被せ蓋に取り付け、その被せ蓋の裏面側から見た状態を示す斜視図である。
【図６】従来の安全視認具が取り付けられた背負い鞄の正面図である。
【図７】従来の安全視認具が取り付けられた背負い鞄の斜視図である。
【符号の説明】
【００２５】
１  反射ベルト
１ａ  端部
２  止め体
Ｂ  背負い鞄
Ｃ  被せ蓋
【図１】
2008259610.tif 000003
【図２】
2008259610.tif 000004
【図３】
2008259610.tif 000005
【図４】
2008259610.tif 000006
【図５】
2008259610.tif 000007
【図６】
2008259610.tif 000008
【図７】
2008259610.tif 000009